(57)【特許請求の範囲】
【請求項１】
震動を感知する震動感知センサと、
前記震動感知センサの出力を検出し、振動の持続時間と程度を把握し、地震が発生したか否かを判断する制御部と、
前記制御部の判断の結果、地震が発生したと判断されれば、メモリに格納された音声または音響を出力して、安全帽の位置を周辺に認知させる音声出力部と、
を含むことを特徴とする、地震備え用安全帽。
【請求項２】
前記制御部に使用者の命令を認知させる操作入力部と、
前記操作入力部の入力によって選択されてラジオ放送を受信して前記音声出力部を通じて出力するラジオ受信部と、
をさらに含むことを特徴とする、請求項１に記載の地震備え用安全帽。
【請求項３】
前記操作入力部の選択入力によって無線通信を遂行する機能を有した無線通信部をさらに含むことを特徴とする、請求項２に記載の地震備え用安全帽。
【請求項４】
前記制御部で地震が発生したと判断されれば、点滅するように制御するランプ部をさらに含むことを特徴とする、請求項１から３のいずれか一項に記載の地震備え用安全帽。
【請求項５】
香りを発散する香り発散部をさらに含むことを特徴とする、請求項４に記載の地震備え用安全帽。
【請求項６】
前記香り発散部は、
香料を収容する容器と、前記容器を開放するインフレータとから構成されることを特徴とする、請求項５に記載の地震備え用安全帽。
【請求項７】
前記香り発散部は、
安全帽の外面に付着されて摩擦により香りを発散するカプセル型香料であることを特徴とする、請求項５に記載の地震備え用安全帽。
【請求項８】
ａ）震動を検出し、振動の持続時間と程度を把握し、地震が発生したか否かを確認するステップと、
ｂ）前記ａ）ステップで地震が発生したと判断されれば、音声または音響を出力して周辺に安全帽を備えて置いた位置を知らせるステップと、
ｃ）前記安全帽を着用した状態でラジオ放送を聴取可能となるようにラジオ放送信号を受信して再生するステップと、
を含むことを特徴とする、地震備え用安全帽の動作方法。
【請求項９】
ｄ）前記ｃ）ステップは、使用者の選択によって切り換えられて、使用者が周辺の他の使用者または災害対策センターと音声通話可能にするステップをさらに含むことを特徴とする、請求項８に記載の地震備え用安全帽の動作方法。
【請求項１０】
前記ｃ）ステップまたは前記ｄ）ステップの遂行中、安全帽に衝撃が感知されれば、香りを発散させて、使用者が埋没しても持続される香りによって埋没位置を容易に把握可能にすることを特徴とする、請求項９に記載の地震備え用安全帽の動作方法。
【請求項１１】
前記ｃ）ステップまたは前記ｄ）ステップの遂行中、使用者が安全帽を摩擦させてカプセル型香料の香りを発散させて、使用者が埋没しても持続される香りによって埋没位置を容易に把握可能にすることを特徴とする、請求項９に記載の地震備え用安全帽の動作方法。
【発明の詳細な説明】
【技術分野】
【０００１】
本発明は、地震備え用安全帽及びその動作方法に関し、より詳しくは、地震の発生時、安全帽を容易に探すことができるようにし、着用者に現在状況などを認知させることができる地震備え用安全帽及びその動作方法に関する。
【背景技術】
【０００２】
一般に、建設現場、造船所、鉱山などの産業現場を出入する者は必ず安全帽を着用するように法制化されており、地震の発生が頻繁な日本では、学校、地下鉄の駅舎等に適正な数量の安全帽を備え付けている。
地震の発生は、一般の気象現象とは異なり、予測及び予報が事実上不可能であり、地震の発生時点からいかに速く安全装具を着用し、安全な場所へ待避するように案内できるかが非常に重要な災害備え要素となる。
【０００３】
地震が発生した状態で電力の供給が中断することがあるので、地震備え用安全帽には照明部が設置されなければならず、通常の産業用安全帽に関連した韓国登録実用新案第２０−０２７２６０５号（登録日付２００２年４月８日、送受信用安全帽）のように、外部と通信できる手段が設けられることが好ましい。
しかしながら、地震が発生した状態で電力が遮断されて視野が確保されなかったり、地震を感じた人々が慌てていたりする場合、平素に安全帽を備え置いた位置を知っていたとしても、安全帽を備え置いた位置を探すことは容易でない。したがって、学校などに安全帽を備え付けるとしても実際に備え置いた位置を探して安全帽を着用する使用者の割合は低くなると考えられ、地震発生時、落下物による被害が大きくなったり、埋没時、頭部に衝撃を受ける場合、大きい損傷を受けたりすることがある問題点があった。
【０００４】
併せて、地震の発生時、崩れた建物の残骸物に埋没した人を探すための方法として、韓国特許出願公開第２０１３−００４８９９０号（２０１３年５月１３日公開、人命救助ロボット）には、人命救助ロボットが移動しながら人の体温、声、または動きを検出して埋没者の位置を確認する方式が記載されている。しかしながら、建物の残骸などに埋没した人の場合、時間が経るにつれて体温が低くなり、声を出せなかったり、動けなくなったりした状態になるため、埋没した人を探して救助することは難しいことがある。
また、埋没した人の携帯電話信号を用いて位置を確認する方法に対する提案もあるが、正確な位置を探すことは難しいだけでなく、バッテリーの限界があって時間が経過するほど埋没者を探して救助することは困難であるという問題点があった。
【先行技術文献】
【特許文献】
【０００５】
【特許文献１】韓国特許出願公開第２０１３−００４８９９０号明細書
【特許文献２】韓国登録実用新案第２０−０２７２６０５号明細書
【発明の概要】
【発明が解決しようとする課題】
【０００６】
上記のような問題点を勘案した本発明が解決しようとする技術的課題は、地震の発生時、安全帽の位置を周辺の人々に認知させることができる地震備え用安全帽及びその動作方法を提供することにある。
また、本発明は、使用者が安全帽を着用した状態で災害が発生した地域のラジオを受信して使用者が聴取することができるようにする地震備え用安全帽及びその動作方法を提供することにある。
併せて、本発明は、救助信号を発生させると共に、特有の香りを発散して訓練された救助犬が容易に埋没者の正確な位置を探すことができるようにする地震備え用安全帽及びその動作方法を提供することにある。
【課題を解決するための手段】
【０００７】
上記のような課題を解決するための本発明の地震備え用安全帽は、震動を感知する震動感知センサと、上記震動感知センサの出力を検出して地震が発生したか否かを判断する制御部と、上記制御部の判断の結果、地震が発生したと判断されれば、メモリに格納された音声または音響を出力して、安全帽の位置を周辺に認知させる音声出力部とを含む。
【０００８】
また、本発明の地震備え用安全帽の動作方法は、ａ）震動を検出して地震が発生したか否かを確認するステップと、ｂ）上記ａ）ステップから地震が発生したと判断されれば、音声または音響を出力して周辺に安全帽を備え置いた位置を知らせるステップと、ｃ）上記安全帽を着用した状態でラジオ放送を聴取可能となるようにラジオ放送信号を受信して再生するステップとを含む。
【発明の効果】
【０００９】
本発明の地震備え用安全帽及びその動作方法は、地震発生を感知すれば、安全帽自体で録音された音声または特定の音響信号を出力して周辺の人々が備えて置いた安全帽を容易に探して着用できるようにすることによって、災害発生時、安全帽の着用率を高めることができる効果がある。
また、本発明の地震備え用安全帽及びその動作方法は、短波ラジオ信号または地域放送局のラジオ信号を受信して着用者が聴取するようにして、放送局で案内する安全な地域に速かに待避できるようにして、地震発生時、人命被害を減らすことができる効果がある。
併せて、本発明の地震備え用安全帽及びその動作方法は、安全帽の一部にカプセル化した香料を付着させて、埋没時、当該香料の香りを用いて埋没者の正確な埋没位置を容易に探して救助することができる効果がある。
【図面の簡単な説明】
【００１０】
【図１】本発明の好ましい実施形態に従う地震備え用安全帽に取り付けられた回路のブロック構成図である。
【図２】本発明の好ましい実施形態に従う地震備え用安全帽の動作方法のフローチャートである。
【図３】本発明の別の実施形態に従う地震備え用安全帽のブロック構成図である。
【発明を実施するための形態】
【００１１】
以下、本発明の地震備え用安全帽及びその動作方法を添付した図面を参照して詳細に説明すると、次の通りである。
図１は、本発明の好ましい実施形態に従う地震備え用安全帽に取り付けられた回路のブロック構成図である。
図１を参照すると、本発明の好ましい実施形態に従う地震備え用安全帽は、地震発生を感知する震動感知センサ１０と、上記震動感知センサ１０から地震発生が感知されれば、各部に電源供給部５０の電源を供給し、音声出力部３０を通じてメモリ４０に格納された音声または音響が出力されるように制御する制御部２０と、ラジオ放送を受信して上記音声出力部３０を通じて出力するラジオ受信部６０と、必要によって災害対策センターなどと通信できる無線通信部７０と、上記ラジオ受信部６０及び無線通信部７０を選択し、周波数可変などの操作命令を入力することができる操作入力部８０とを含んで構成される。
【００１２】
図２は、本発明の好ましい実施形態に従う地震備え用安全帽の動作方法のフローチャートであって、これを上記図１を参照して説明した安全帽に取り付けられた回路の動作と共に詳細に説明する。
まず、ステップＳ２１では、地震が発生したかを感知するようになる。これは、震動感知センサ１０で感知された震動に従う電気的信号を制御部２０で判断して地震が発生したか否かを確認するようになる。
【００１３】
地震による震動の発生時、その震動の持続時間と程度を把握するようになり、被害の虞のない程度の震動が設定時間未満に発生した場合には、地震の発生と判断しないようにすることができる。
上記震動感知センサ１０は、ジャイロセンサを使用することができ、待機状態で電力の消耗を最小化するために、震動感知センサ１０と制御部２０のみに電源供給部５０の電力が供給されるように構成することができる。
【００１４】
上記震動感知センサ１０で感知された信号を制御部２０で判断した結果、設定以上の強度と持続時間の間発生した場合、ステップＳ２２のように、上記制御部２０は電源供給部５０の電力が以後に言及される各部に供給できるようにし、メモリ４０に格納された音声または音響信号を音声出力部３０を通じて出力する。
上記音声信号は、「安全帽を着用しなさい」、「３階廊下」、「教務室」など、使用者らが認識することができる言語で行なうことが好ましく、音響信号は予め約束されたアラーム音にして、地震発生時、安全帽の周辺の人々が安全帽を備えて置いた位置を容易に探すことができるように誘導する。
【００１５】
このように、音声や音響により安全帽の位置に誘導することによって、地震の発生により電力が遮断された状態でも容易に安全帽を探して着用できるようになり、したがって、災害の発生時、保護装具の着用率を高めて人命被害を最小化することができる。
必要によって、上記制御部２０は、上記音声または音響の出力だけでなく、安全帽の前面に設けられたランプ部９０を点滅させて、安全帽を備えて置いた位置を知らせることができる。
【００１６】
次に、使用者が安全帽を備えて置いた位置を探して安全帽を着用すれば、先の安全帽の位置を知らせるための音声または音響の出力が停止する。これは、別途のセンサを通じて自動でなされるか、または安全帽を着用した使用者が操作入力部８０の特定ボタンを押した時になされるようにする。
ステップＳ２３の判断結果のように、安全帽を着用する前までは上記音声出力部３０を通じて音声または音響が出力される状態が維持され、ステップＳ２３の判断結果、使用者が安全帽を着用したらステップＳ２４のように音声及び音響の出力が中断される。
【００１７】
次に、ステップＳ２５のように、上記制御部２０は、使用者が操作入力部８０を通じてラジオまたは無線通信機能を選択したかを確認する。このような確認段階を遂行せず、自動で上記ステップＳ２４を遂行した後、ラジオ受信または無線通信機能を遂行するように設定することができる。特に、学校に備えて置いた安全帽には、子供を安全に待避場所に誘導できるように待避位置を繰り返して説明する音声出力を維持することができる。
【００１８】
上記操作入力部８０を通じてラジオ機能が選択された場合には、ステップＳ２６のように、ラジオ受信部６０で受信された設定周波数のラジオ放送を上記音声出力部３０を通じて出力して安全帽着用者が災害案内放送を聞きながら待避することができるようにする。
実際に、さまざまな災害状況で全国規模の放送よりは地域の番組または地域の短波放送が該当地域の状況を直ちに反映できるので、実質的に助けになることが知られており、上記設定周波数を地域の番組チャンネルに設定して置くことができる。
【００１９】
ステップＳ２７で、使用者が操作入力部８０を通じてチャンネルを変更する要求があれば、ラジオ受信部６０で受信されるチャンネルを変更してステップＳ２８のように変更されたチャンネルのラジオ放送をラジオ受信部６０で受信して音声出力部３０を通じて出力する。また、ラジオの受信状態で操作入力部８０を通じて着用者が無線通信を選択する場合、ステップＳ２９のように無線通信機能を遂行して無線通信部７０を通じて周辺の他の安全帽着用者または災害対策センターと音声通信を遂行できるようになる。
【００２０】
したがって、本発明は、安全帽を備えて置いた位置を周辺の人々に認知させると共に、安全帽を着用した状態で災害放送を聴取して待避できるようにするか、または災害対策センターまたは周辺の安全帽着用者らとの通信を通じて速かに待避位置を確認して待避することができるようになる。
【００２１】
図３は、本発明の別の実施形態に従う地震備え用安全帽のブロック構成図である。
図３を参照すると、本発明の別の実施形態に従う地震備え用安全帽は、上記図１を参照して説明した構成に加えて、制御部２０の制御により香りを発散する香り発散部９５をさらに含むことができる。上記香り発散部９５は、香料を含む容器をインフレータ装置により開放する構成でありうる。この際、制御部２０は、上記震動感知センサ１０から衝撃が感知されれば、香り発散部９５を開放して香料により香りが持続的に発散されるようにする。
これは、埋没時、安全帽着用者が意識を失ったり、身体を動かせなかったりする時にも、長期間維持できる香りを発散させて、埋没位置を正確に探して救助できるようにするためのものである。
【００２２】
上記香り発散部９５は、制御部２０の作用により香りを発散するものでなく、安全帽の特定部分を着用者が摩擦させた時に香りを発散するものとすることができる。これは、安全帽を着用した状態で使用者が安全帽に予め付着された微細カプセル型香料に圧力を与えて香りを発散するようにしたものであり、その香りを用いて安全帽着用者の位置を容易に探し出せるようになる。
上記香り発散部９５に使用する香料の種類は任意でよいが、人は感じることができないが、訓練された探索犬や救助犬が容易に、かつ正確に探すことができる種類を使用することが好ましい。
【００２３】
このように、本発明は、安全帽で香りが発散されるようにして、安全帽着用者が埋没した場合にも正確な位置を容易に探すことができるので、人命救助率を高めることができる。
本発明は、上記実施形態に限定されず、本発明の技術的要旨を逸脱しない範囲内で多様に修正、変形して実施できることは、本発明が属する技術分野で通常の知識を有する者には自明である。
【符号の説明】
【００２４】
１０  震動感知センサ
２０  制御部
３０  音声出力部
４０  メモリ
５０  電源供給部
６０  ラジオ受信部
７０  無線通信部
７１  マイク
８０  操作入力部
９０  ランプ部
９５  香り発散部
【図１】
0005859045.tif 000002
【図２】
0005859045.tif 000003
【図３】
0005859045.tif 000004